(57)【特許請求の範囲】
【請求項１】
測定値を電気信号として出力する検出手段と、デジタル表示手段と、環状帯領域に複数本の表示セグメントを等間隔に配置したアナログ表示手段と、前記検出手段で検出された測定値を前記デジタル表示手段および前記アナログ表示手段に表示する表示制御手段とを備えた測定装置において、
前記表示制御手段は、設定値に対して予め設定された公差範囲に対応する表示セグメントを点灯または点滅させる公差範囲表示手段と、前記設定値に対する現在測定値の差を求め、その差が前記公差範囲よりも広い範囲のアナログ表示範囲内にあるか否かを判定する第１判定手段と、この第１判定手段によって前記差が前記アナログ表示範囲内にあると判定されたときに前記現在測定値の下１桁または下２桁の値に対応する表示セグメントを点灯させる差表示手段と、前記差が前記公差範囲内にあるか否かを判定する第２判定手段と、この第２判定手段の判定結果を表示する合否表示手段とを含んで構成され、
前記アナログ表示範囲は、前記アナログ表示手段を数周する範囲に設定され、 
前記デジタル表示手段は、前記測定値を数値で表示する第１デジタル表示部と、前記設定値に対する現在測定値の差を数値で表示する第２デジタル表示部とを含んで構成されている、ことを特徴とする測定装置。
【請求項２】
請求項１に記載の測定装置において、
前記アナログ表示手段は、前記測定値の小数点２桁を表示できるように、１周に１００本の表示セグメントが等間隔に配置されていることを特徴とする測定装置。
【発明の詳細な説明】
【技術分野】
【０００１】
本発明は、測定値を電気信号として検出し表示する測定装置に関する。詳しくは、測定に加え、その測定によって検出された測定値が予め設定した公差範囲内に属するか否かをもって合否判定できるようにした測定装置に関する。例えば、ノギス、ダイヤルゲージなどに利用できる。
【背景技術】
【０００２】
例えば、ダイヤルゲージの形式として、スピンドルの直線変位を運動変換機構や拡大機構などを介して指針の回転運動に変換し、その指針の対応する目盛から測定値を読み取るアナログ表示式ダイヤルゲージと、スピンドルの直線変位を電気信号として検出するエンコーダを内蔵し、このエンコーダによって検出された測定値をデジタル表示器にデジタル表示させるデジタル表示式ダイヤルゲージとが知られている。
【０００３】
一般的に、経済的負担は大きいが、高分解能および高精度かつ読み取り容易性からはデジタル表示式ダイヤルゲージが採用され、一方、高精度が要求されない用途などにはアナログ表示式ダイヤルゲージが採用される場合が多い。また、測定値が公差などの一定範囲内に属するか否かをもって合否判定するような場合にも、後者が採用される場合が多い。
【０００４】
しかし、測定の実際において、測定対象物、測定態様、あるいは、熟練や慣習などからいずれか一方に限定することができず、結局、両方を備えなければならない実情がある。
例えば、測定値がある公差範囲内に属すれば合格と判断するためにアナログ表示式ダイヤルゲージを使用しているが、不合格となったものについては数値的にどれくらいの偏差があるのかを知りたい場合、あるいは、時々刻々変化するデジタル表示数値を常時読み取る必要はなく、その途中は傾向が判断できればよいという使用態様の場合などである。
【０００５】
ここに、両者を組み合わせたものとして、特許文献１に記載された、いわゆる、デジアナ表示式ノギスと呼ばれる測定装置が知られている。
このデジアナ表示式ノギスは、スライダの表示面中央位置に測定データを数値として表示する５桁のデジタル表示部を配置するとともに、その周囲にデジタル表示部に表示される値の下２桁の値をアナログ表示するアナログ表示部を配置した構成である。なお、アナログ表示部は、デジタル表示部を内側に包む円周上に所定の幅、長さの１００本の表示セグメントが等ピッチ間隔で配置された構成で、測定値と対応する単一の表示セグメントへの点灯制御により下２桁の値が表示される。
【０００６】
【特許文献１】特開平６−２８８７０１号公報
【発明の開示】
【発明が解決しようとする課題】
【０００７】
特許文献１に記載の測定装置では、エンコーダによって検出された測定値が、デジタル表示部に数値でデジタル表示され、かつ、その数値のうち下２桁の値がアナログ表示部にポイント表示される。つまり、下２桁の値に対応する表示セグメントと、その前後２本の表示セグメントとの計３本の表示セグメントが同時に点灯される。
【０００８】
従って、スライダが静止した状態においては、測定値の下２桁に対応する表示セグメントを含む連続した３本の表示セグメント群が同時に点灯されるから、点灯している表示セグメントを視認しやすい利点がある。
しかし、スライダが移動している過程では、測定値の下２桁が時々刻々変化しているため、点灯する表示セグメントがアナログ表示部を高速で点滅しながら回転している様相を呈するため、アナログ表示部のちらつきにより視認しずらく、しかも、消費電力がかかるという課題がある。
【０００９】
本発明の目的は、デジタル表示部とアナログ表示部とを備えた構成において、アナログ表示部における視認性を向上させることが可能で、しかも、消費電力を低減できる測定装置を提供することにある。
【課題を解決するための手段】
【００１０】
本発明の測定装置は、測定値を電気信号として出力する検出手段と、デジタル表示手段と、環状帯領域に複数本の表示セグメントを等間隔に配置したアナログ表示手段と、前記検出手段で検出された測定値を前記デジタル表示手段および前記アナログ表示手段に表示する表示制御手段とを備えた測定装置において、前記表示制御手段は、設定値に対して予め設定された公差範囲に対応する表示セグメントを点灯または点滅させる公差範囲表示手段と、前記設定値に対する現在測定値の差を求め、その差が前記公差範囲よりも広い範囲のアナログ表示範囲内にあるか否かを判定する第１判定手段と、この第１判定手段によって前記差が前記アナログ表示範囲内にあると判定されたときに前記現在測定値の下１桁または下２桁の値に対応する表示セグメントを点灯させる差表示手段と、前記差が前記公差範囲内にあるか否かを判定する第２判定手段と、この第２判定手段の判定結果を表示する合否表示手段とを含んで構成され、前記アナログ表示範囲は、前記アナログ表示手段を数周する範囲に設定され、前記デジタル表示手段は、前記測定値を数値で表示する第１デジタル表示部と、前記設定値に対する現在測定値の差を数値で表示する第２デジタル表示部とを含んで構成されている、ことを特徴とする。
【００１１】
この構成によれば、公差判定にあたって、公差範囲表示手段によって、設定値に対して予め設定された公差範囲に対応する表示セグメントが点灯または点滅されるとともに、設定値に対する現在測定値の差が求められ、その差が公差範囲よりも広い範囲のアナログ表示範囲内にあるか否かが判定され、差がアナログ表示範囲内にあるとき、現在測定値の下１桁または下２桁の値に対応する表示セグメントが点灯される。
従って、設定値に対する現在測定値の差がアナログ表示範囲内に入れば、現在測定値の下１桁または下２桁の値に対応する表示セグメントが点灯されるから、このアナログ表示部の表示セグメントによって、現在測定値が公差範囲に対してどの位置にあるかを把握できる。また、設定値に対する現在測定値の差がアナログ表示範囲内に入るまでは、アナログ表示部の表示セグメントが点灯されないから、アナログ表示部における視認性を向上させるこが可能で、しかも、消費電力も低減できる。
その後、設定値に対する現在測定値の差が公差範囲内にあるか否かが判定され、その判定結果が表示されるから、現在測定値が公差内にあるか否かを判定できる。
【００１２】
また、アナログ表示範囲が、アナログ表示手段を数周する範囲に設定されているから、つまり、設定値に対する現在測定値の差が設定値近傍になるまで、アナログ表示手段の表示セグメントが点灯されないから、アナログ表示部における視認性を向上させるこが可能で、しかも、消費電力を低減できる。
更に、前記デジタル表示手段は、測定値を数値で表示する第１デジタル表示部のほかに、設定値に対する現在測定値の差を数値で表示する第２デジタル表示部が設けられているから、設定値に対する現在測定値の差を数値として把握できる。
【００１３】
本発明の測定装置において、前記アナログ表示手段は、前記測定値の小数点２桁を表示できるように、１周に１００本の表示セグメントが等間隔に配置されていることが好ましい。
この構成によれば、例えば、アナログ表示手段が１周で１ｍｍとすると、測定値を１／１００ｍｍ単位で表示できる。しかも、現在測定値が設定値に対して１ｍｍまたは数ｍｍ前後の時点からアナログ表示部の表示セグメントが点灯されるから、最適な状態で表示できる。
【発明を実施するための最良の形態】
【００１５】
以下、本発明の測定装置をノギスに適用した実施の形態について、添付図面を参照しながら詳細に説明する。
図１は本実施形態のノギスの正面を示している。同図において、１１は固定部材としての本尺、２１は本尺１１の長手方向へ移動可能に装着された可動部材としてのスライダである。
【００１６】
本尺１１には、その長手方向の一端側に内側ジョー１２および外側ジョー１３がそれぞれ一体的に設けられている。
スライダ２１には、その一端側に本尺１１の内側ジョー１２とともに被測定物の内側に当接される内側ジョー２２および外側ジョー１３とともに被測定物の外側に当接される外側ジョー２３がそれぞれ一体的に設けられている。また、スライダ２１の下側縁には指かけ２４および送りローラ２５がそれぞれ設けられているとともに、正面部には円形状の表示器２６やモードスイッチ２７、セットスイッチ２８などが設けられている。
【００１７】
図２は、表示器２６を示している。表示器２６の正面内部には、中央位置に測定値（現在測定値）を数値として表示する５桁の第１デジタル表示部３１、設定値に対する現在測定値の差を数値として表示する５桁の第２デジタル表示部３２が配置されているとともに、これらのデジタル表示部３１，３２を内側に包む環状帯領域に１００本の棒状表示セグメント３３０ 〜３３９９を等間隔に配置したアナログ表示手段としてのアナログ表示部３３が設けられている。つまり、アナログ表示部３３は、現在測定値の小数点２桁を表示できるように、１周に１００本の表示セグメント３３０ 〜３３９９が等間隔に配置されている。なお、第１デジタル表示部３１および第２デジタル表示部３２から、デジタル表示手段が構成されている。
【００１８】
第１デジタル表示部３１とアナログ表示部３３との間には、アナログ表示部３３の１目盛の分解能を示すアナログバー分解能表示部３４、表示単位がインチとミリとのいずれであるかを表示する表示単位表示部３５、公差判定結果を表示する公差判定結果表示部３６などがそれぞれ設けられている。
公差判定結果表示部３６は、測定値が公差範囲内のときに点滅または点灯される合格表示セグメント３７と、測定値が公差範囲の下限値未満および上限値を超えたときにそれぞれ点滅または点灯される不合格表示セグメント３８，３９とを含んで構成されている。
【００１９】
図３は制御回路を示すブロック図である。同図において、４１は表示制御手段で、ＣＰＵと、処理プログラムなどを記憶したＲＯＭ（図示省略）などで構成されている。
表示制御手段４１には、スイッチ２７，２８と、表示器２６を構成する各種表示部３１，３２，３３，３４，３５，３６，３７，３８，３９と、本尺１１に対するスライダ２１の移動変位量に基づく測定値を電気的信号として検出する検出手段としてのエンコーダ４２と、測定値や公差範囲を決める設定値、上下限値などを記憶するメモリ４３とがそれぞれ接続されている。
【００２０】
表示制御手段４１は、エンコーダ４２によって検出された現在測定値を第１デジタル表示部３１に数値でデジタル表示し、かつ、その数値のうち下２桁の値をアナログ表示部３３にポイント表示する現在値表示手段と、設定値に対して予め設定された公差範囲に対応する表示セグメントを点灯または点滅させる公差範囲表示手段と、設定値に対する現在測定値の差を求め、その差が公差範囲よりも広い範囲のアナログ表示範囲内にあるか否かを判定する第１判定手段と、この第１判定手段によって前記差がアナログ表示範囲内にあると判定されたときに前記現在測定値の下１桁または下２桁の値に対応する表示セグメントを点灯させる差表示手段と、前記差が前記公差範囲内にあるか否かを判定する第２判定手段と、この第２判定手段の判定結果を表示する合否表示手段とを含んで構成されている。
ここで、アナログ表示範囲は、アナログ表示部３３を２周する範囲、つまり，設定値を基準に前後１周の合計２周に設定されている。
【００２１】
エンコーダ４２は、本尺１１の長手方向に沿って受信電極および結合電極を有する受信電極基板４４と、この受信電極基板４４に一定間隔を保ってスライダ２１に設けられそのスライダ２１の移動方向に沿って複数の送信電極および出力電極を有する送信電極基板４５と、各送信電極に位相の異なる交流電圧を印加するとともに、受信電極に誘起される静電容量信号を結合電極および出力電極を通じて取り込みスライダ２１の移動変位量を求める信号検出処理回路４６とを含み構成されている。
メモリ４３には、測定値を記憶する測定値記憶エリア４３Ａのほかに、後述する公差設定モードにおいて入力される設定値、上限値、下限値を記憶するための設定値記憶エリア４３Ｂ、上限値記憶エリア４３Ｃ、下限値記憶エリア４３Ｄ、アナログ表示範囲の上限値および下限値を記憶するアナログ表示範囲上下限値記憶エリア４３Ｅなどが設けられている。
【００２２】
次に、本実施例の作用を、図４〜図６のフローチャートおよび図７〜図１３の表示例を参照しながら説明する。まず、電源が投入されると、現在値表示モードに設定され、この現在値表示モードにおいて、モードスイッチ２７が押されると、公差設定モード、公差範囲判定モードに切り換えられる。
【００２３】
＜現在値表示モード＞
現在値表示モードでは、図４のフローチャートに従って処理が実行される。表示制御手段４１は、ステップ（以下、ＳＴと略す。）１において、エンコーダ４２によって検出された測定値（現在測定値）を第１デジタル表示部３１に数値でデジタル表示し、かつ、その数値のうち下２桁の値をアナログ表示部３３にポイント表示する。例えば、図７に示す如く、第１デジタル表示部３１に表示された現在測定値の下２桁の値に対応する表示セグメント３３２０を点灯させる。なお、このとき、表示単位表示部３５のインチ「ｉｎ」またはミリ「ｍｍ」を点灯させる。
こののち、ＳＴ２，ＳＴ３，ＳＴ４において、所定時間内にモードスイッチ２７が何回押されたかをチェックしながらＳＴ１へ戻る処理を繰り返す。ＳＴ２〜ＳＴ３において、モードスイッチ２７が１回押されたことが認識されると、ＳＴ５へ進み、公差設定モードを実行する。ＳＴ２〜ＳＴ４において、モードスイッチ２７が２回押されたことが認識されると、ＳＴ６へ進み、公差判定モードを実行する。従って、モードスイッチ２７が押されない限り現在値表示モードが継続される。
【００２４】
＜公差設定モード＞
公差設定モードでは、図５のフローチャートに従って処理が実行される。表示制御手段４１は、ＳＴ１１でＳＴ１と同様な処理を行ったのち、ＳＴ１２へ進み、セットスイッチ２８がオンされたか否かをチェックする。セットスイッチ２８がオンされていなければ、ＳＴ１１へ戻る処理を行う。
セットスイッチ２８がオンされていれば、ＳＴ１３，ＳＴ１４，ＳＴ１５において、設定値入力であるか、上限値入力であるか、下限値入力であるかを判断する。つまり、メモリ４３に設けられた設定値記憶エリア４３Ｂ、上限値記憶エリア４３Ｃ、下限値記憶エリア４３Ｄにデータが記憶されているか否かをもってこれらの判断を行う。
【００２５】
設定値入力、つまり、いずれの記憶エリア４３Ｂ，４３Ｃ，４３Ｄにも値が記憶されていなければ、ＳＴ１６へ進み、設定値を設定値記憶エリア４３Ｂに記憶させる。上限値入力、つまり、設定値記憶エリア４３Ｂのみ設定値が記憶されていれば、ＳＴ１７へ進み、上限値を上限値記憶エリア４３Ｃに記憶させる。下限値入力、つまり、設定値記憶エリア４３Ｂおよび上限値記憶エリア４３Ｃに設定値および上限値が記憶されていれば、ＳＴ１８へ進み、下限値を下限値記憶エリア４３Ｄに記憶させる。全ての値がセットされたのちは、ＳＴ１１９において、モードスイッチ２６が押されたことを条件に、公差判定モードへ進む。
【００２６】
従って、本尺１１に対してスライダ２１を移動させ、第１デジタル表示部３１およびアナログ表示部３３に任意の設定値を表示させた状態（例えば、図８参照）において、セットスイッチ２８が押されると、表示値「１０．００」が設定値記憶エリア４３Ｂに記憶される。
また、第１デジタル表示部３１およびアナログ表示部３３に、任意の上限値を表示させた状態（例えば、図９参照）において、セットスイッチ２８が押されると、表示値「１０．３０」が上限値記憶エリア４３Ｃに記憶される。このとき、アナログ表示部３３の対応する表示セグメント３３３０は点滅される。
また、第１デジタル表示部３１およびアナログ表示部３３に、任意の下限値を表示させた状態（図１０参照）において、セットスイッチ２８が押されると、表示値「９．７０」が下限値記憶エリア４３Ｄに記憶される。このとき、アナログ表示部３３の対応する表示セグメント３３７０は点滅される。
このようにして、設定値記憶エリア４３Ｂに設定値が、上限値記憶エリア４３Ｃに上限値が、下限値記憶エリア４３Ｄに下限値が記憶されたのち、公差判定モードへ進む。
なお、設定値記憶エリア４３Ｂ，上限値記憶エリア４３Ｃ，下限値記憶エリア４３Ｄに新たな設定値、上限値、下限値を記憶するには、図示しないスイッチなどによって、これらの記憶エリアの内容をクリアしたのち、上述した操作を行う。
【００２７】
＜公差判定モード＞
公差判定モードでは、図６のフローチャートに従って処理が実行される。表示制御手段４１は、ＳＴ２１で公差範囲を示す表示セグメント、つまり、上限値および下限値に対応する２つの表示セグメントを点滅させる。
続いて、ＳＴ２２へ進み、現在測定値Ｘを第１デジタル表示部３１に数値表示させたのち、ＳＴ２３において、設定値Ｙに対する現在測定値Ｘの差、つまり、Ｓ＝Ｙ−Ｘを求め、この差Ｓを第２デジタル表示部３２に数値表示させる。
次に、ＳＴ２４において、差Ｓが公差範囲（下限値から上限値の範囲）よりも広い範囲のアナログ表示範囲内にあるか否かを判定する。つまり差Ｓが、下限値よりも小さい値から、上限値よりも大きい値の範囲内にあるか否かを判定する。本実施形態の場合、設定値から上下限値までの差が１ｍｍ未満であるとして、例えば、設定値Ｙより１ｍｍ小さい値から設定値Ｙよりも１ｍｍ大きい値の範囲内にあるか否かを判定、つまり、−１＜Ｓ＜＋１を判定する。
【００２８】
その結果、差Ｓがアナログ表示範囲内にあれば、ＳＴ２５において、現在測定値Ｘの下２桁をアナログ表示部３３にポイント表示し、差Ｓがアナログ表示範囲内になければ、ＳＴ２５の処理を行うことなく、ＳＴ２６の公差判定に進む。従って、差Ｓがアナログ表示範囲内になければ、図１１に示すように、差Ｓの下２桁がアナログ表示部３３に表示されないため、表示の点滅により視認性が低下することがなく、また、節電効果も期待できる。差Ｓがアナログ表示範囲内に入ると、図１２に示すように、現在測定値Ｘの下２桁がアナログ表示部３３にポイント表示（表示セグメント３３１０が点灯）される。
【００２９】
ＳＴ２６において、公差判定を行う。つまり、差Ｓが公差範囲内であるか否かを判定する。差Ｓが公差範囲内であれば、ＳＴ２７へ進み、合格表示セグメント３７を点滅させる。つまり、図１３に示す如く、合格表示セグメント３７を点滅させる。
差Ｓが公差範囲内でなければ、ＳＴ２８へ進み、差Ｓが下限値未満であるかをチェックし、下限値未満であればＳＴ２９へ進み、不合格セグメント３８を、下限値未満でなければ、ＳＴ３０へ進み、不合格表示セグメント３９を、それぞれ点灯させる。
【００３０】
＜実施形態の効果＞
本実施例によれば、測定値をデジタル表示部３１およびアナログ表示部３３にそれぞれ表示する現在値表示モード、設定値、公差の上限値および下限値を任意に設定記憶する公差設定モード、測定値が公差の上限値および下限値内にあるか否かを判定しその判定結果を表示する公差判定モードとを有するので、各モードへ切替えてそれぞれの処理を実行させることができる。
【００３１】
現在値表示モードでは、測定値をデジタル表示部３１に数値として表示するとともに、その下２桁の値をアナログ表示部３３に表示するようにしたので、つまり、表示が変動しやすい下２桁の値をアナログ表示部３３にアナログ表示するようにしたので、測定値を読み取りやすい。
【００３２】
公差設定モードでは、セットスイッチ２８が押されると、測定値を設定値、上限値、下限値としてそれぞれ取り込み、これらを設定値、公差の上下限値として設定するようにしたので、公差範囲を任意に設定することができる。この際、設定値、上下限値の設定は、本尺１１に対してスライダ２１を移動させ、表示部３１，３３に任意の設定値、上下限値を表示させた状態において、セットスイッチ２８を押すだけでよいから、設定値、上下限値入力用のスイッチを特別に設けることなく、設定値、上下限値の設定を迅速にかつ容易に行うことができる。
【００３３】
また、公差判定モードでは、公差範囲を示す上下限値に対応する表示セグメントを点滅させるようにしたので、測定値のポイント表示とは区別できる表示状態で公差範囲を表示させることができる。
また、設定値Ｙに対する現在測定値Ｘの差Ｓを求め、その差Ｓが公差範囲よりも広い範囲のアナログ表示範囲内にあるか否かを判定し、差Ｓがアナログ表示範囲内にあるとき、現在測定値の下２桁の値に対応する表示セグメントを点灯させる。従って、設定値に対する現在測定値の差がアナログ表示範囲内に入れば、現在測定値の下２桁の値に対応する表示セグメントが点灯されるから、このアナログ表示部３３の表示セグメントによって、現在測定値が公差範囲に対してどの位置にあるかを把握できる。また、設定値に対する現在測定値の差がアナログ表示範囲内に入るまでは、アナログ表示部３３の表示セグメントが点灯されないから、アナログ表示部３３における視認性を向上させるこが可能で、しかも、消費電力も低減できる。
【００３４】
最後に、測定値が公差範囲内にあるか否かをチェックし、測定値が公差範囲内にあれば合格表示セグメント３７を、測定値が公差範囲内になければ不合格表示セグメント３８，３９を、それぞれ点滅させるようにしたので、これらの点滅する表示セグメントを見れば良否の判別ができる。
【００３５】
＜変形例＞
以上、本発明について好適な実施例を挙げて説明したが、本発明は上記実施例の構成に限定されるものでなく、本発明の要旨を逸脱しない範囲において種々の改良並びに設計変更ができる。
たとえば、上記実施形態では、公差範囲を表示する際、表示セグメントを点滅させたが、これに限らず、点灯であってもよい。
【００３６】
上記実施形態では、アナログ表示部３３は、１周で１ｍｍを表示するように構成されていたが、この例に限られない。例えば、現在測定値が、公差範囲（下限値から上限値の範囲）よりも広い範囲にある場合には、アナログ表示部３３の表示レンジを１周で１ｍｍとし、それより狭い範囲にある場合には、１周で０．５ｍｍに自動的に切り替わるように構成してもよく、あるいは、設定値や上下限値（公差範囲）によって自動的に切り替わるように構成してもよい。または、ユーザがレンジを任意に設定できるように構成してもよい。
【００３７】
また、公差判定モードにおいて、測定値が公差範囲内にあるとき、アナログ表示部３３の下限値と対応する表示セグメントから測定値と対応する表示セグメントまでの連続する表示セグメント群を全て点灯させるようにしてもよく、あるいは、これとは逆に、アナログ表示部３３の上限値と対応する表示セグメントから測定値と対応する表示セグメントまでの連続する表示セグメント群を全て点灯させるようにしてもよい。このようにすれば、合格表示が見やすい。
【００３８】
また、検出手段を構成するエンコーダ４２の形式としては、上記実施例で述べた静電容量式に限らず、光電式、電磁式など、固定部材に対する可動部材の移動変位量を電気信号として検出できるものであれば形式を問わない。
【産業上の利用可能性】
【００３９】
本発明は、ノギスのほか、ダイヤルゲージやマイクロメータなどにも利用でき、更に、温度計、圧力計、電流指示計など測定情報を電気信号として検出し、それをアナログ表示する測定装置一般に利用できる。
【図面の簡単な説明】
【００４０】
【図１】本実施形態のノギスを示す正面図。
【図２】同上実施形態の表示器を示す正面図。
【図３】同上実施形態の制御回路を示すブロック図。
【図４】同上実施形態において、現在値表示モードの処理を示すフローチャート。
【図５】同上実施形態において、公差設定モードの処理を示すフローチャート。
【図６】同上実施形態において、公差判定モードの処理を示すフローチャート。
【図７】同上実施形態の現在値表示モードにおいて、現在測定値を表示した図。
【図８】同上実施形態の公差設定モードにおいて、設定値設定表示状態を示す図。
【図９】同上実施形態の公差設定モードにおいて、上限値設定表示状態を示す図。
【図１０】同上実施形態の公差設定モードにおいて、下限値設定表示状態を示す図。
【図１１】同上実施形態の公差判定モードにおいて、現在測定値がアナログ表示範囲未満の表示状態を示す図。
【図１２】同上実施形態の公差判定モードにおいて、現在測定値がアナログ表示範囲内の表示状態を示す図。
【図１３】同上実施形態の公差判定モードにおいて、現在測定値が公差内に入った表示状態を示す図。
【符号の説明】
【００４１】
３１…第１デジタル表示部（デジタル表示手段）、
３２…第２デジタル表示部（デジタル表示手段）、
３３…アナログ表示部（アナログ表示手段）、
４１…表示制御手段（公差範囲表示手段、第１判定手段、差表示手段、
第２判定手段、合否表示手段）、
４２…エンコーダ（検出手段）、
４３…メモリ。
【図１】
0005128244.tif 000002
【図２】
0005128244.tif 000003
【図３】
0005128244.tif 000004
【図４】
0005128244.tif 000005
【図５】
0005128244.tif 000006
【図６】
0005128244.tif 000007
【図７】
0005128244.tif 000008
【図８】
0005128244.tif 000009
【図９】
0005128244.tif 000010
【図１０】
0005128244.tif 000011
【図１１】
0005128244.tif 000012
【図１２】
0005128244.tif 000013
【図１３】
0005128244.tif 000014